(57)【要約】【課題】シンプルな構成で、背板の反りによる隙間の発生を抑制する、あるいは目立たなくすることを可能とする引出しを実現する。【解決手段】引出し１は、前面扉２、底板３、両側板４、背板５を備えており、背板５の下部１１と底板３の後端部１２には、これらを相互に係合するために、幅方向において同一断面を有する長尺状の係合部１３が形成されており、背板５には、底板３の後端部１２の上面部を覆う突起部２６が形成されており、係合部１３は、前記底板３に形成された係合凹部１７と、前記背板５に形成された係合凸部１８により構成されており、背板５は反り難くなり隙間の発生を抑制し、仮に隙間が生じても突起部２６で覆い隠すことができる。【選択図】図１
2017063922.tif 000002
【特許請求の範囲】
【請求項１】
前面扉、底板、両側板、背板を備えた引出しであって、
前記背板の下部と前記底板の後端部には、これらを相互に係合するために、幅方向において同一断面を有する長尺状の係合部が形成されており、
前記背板には、前記底板の前記後端部の上面部を覆う突起部が形成されていることを特徴とする引出し。
【請求項２】
前記係合部は、前記底板に形成された係合凹部と、前記背板に形成された係合凸部により構成されていることを特徴とする請求項１に記載の引出し。
【請求項３】
前記係合部は、前記背板及び前記底板の双方にカギ状に形成された係合凸部と係合凹部の組合せ構造により構成されていることを特徴とする請求項１に記載の引出し。
【請求項４】
前記背板は、押出し成型により形成されていることを特徴とする請求項１から３のいずれかに記載の引出し。
【請求項５】
引出しとして請求項１から４のいずれかを備えていることを特徴とするキッチンキャビネット。
【発明の詳細な説明】
【技術分野】
【０００１】
本発明は、引出し及び該引出しを備えたキッチンキャビネットに関するものである。
【背景技術】
【０００２】
従来、引出しにおいて、底板の後端部（奥方向の端部）には背板が取り付けられている構成は周知である（特許文献１、２参照）。
【０００３】
図６（ａ）は、引出し従来例の構成を示すが、このような従来例の引出し７１では、底板７２の後端部に背板７３が、ねじ、タッカ針等によって、固定される取付構造が、通常、採用されている。底板７２の前端部には、前面板７４が固定され、両側に両側板７５が固定されている。
【先行技術文献】
【特許文献】
【０００４】
【特許文献１】特開２００５−３３４１０２号公報
【特許文献２】特開２００８−２８４２５３号公報
【発明の概要】
【発明が解決しようとする課題】
【０００５】
上記したような従来例の引出し７１の背板７３の取付構造においては、図６（ｂ）、（ｃ）に示すように、背板７３に反りが生じる場合がある。例えば、木製の背板については、含有水分量の変化などによって幅方向に反りが生じることがあり、樹脂製の背板については、成形の際に生じる内部応力が原因で成形後に外部変形となって反りが生じることがある。
【０００６】
そして、引出しを、急激に引き出して開いたり、押し込んだりした際に、収納物が引出し内で後方に移動して背板に衝突して背板を後方に反らすような変形が生じる場合がある。また、収納物が引出し内で上段の底板との間に挟まっているのに、無理に引出しを引き出そうとすると、収納物が背板に衝接して、背板を後方に反らすような変形が生じる場合がある。
【０００７】
このように背板７３に反りが生じると、底板７２の後端部から剥がれ、図６（ｂ）、（ｃ）に示すように、底板７２の後端部との間の隙間７６が生じる場合があり、見栄えも悪いし、小さな収納物が隙間７６から漏れ落ちるような問題も生じる。
【０００８】
これに対処するため、背板７３を底板７２に固定するためのねじやタッカ針を多く使用する事で反りを起こり難くすることが考えられるが、製造作業の煩雑さを伴い、結果として製造コストが上がるという問題が生じる。
【０００９】
本発明は上記従来の問題を解決することを目的とし、シンプルな構成で、背板の反りによる隙間の発生を抑制する、あるいは目立たなくすることを可能とする引出し及びキッチンキャビネットを実現することを課題とする。
【課題を解決するための手段】
【００１０】
本発明は上記課題を解決するために、前面扉、底板、両側板、背板を備えた引出しであって、前記背板の下部と前記底板の後端部には、これらを相互に係合するために、幅方向において同一断面を有する長尺状の係合部が形成されており、前記背板には、前記底板の前記後端部の上面部を覆う突起部が形成されていることを特徴とする引出し。
【００１１】
前記係合部は、前記底板に形成された係合凹部と、前記背板に形成された係合凸部により構成されていることが好ましい。
【００１２】
前記係合部は、前記背板及び前記底板の双方にカギ状に形成された係合凸部と係合凹部の組合せ構造により構成されていることが好ましい。
【００１３】
前記背板は、押出し成型により形成されていることが好ましい。
【００１４】
本発明は上記課題を解決するために、上記特徴を有する引出しを備えていることを特徴とするキッチンキャビネットを提供する。
【発明の効果】
【００１５】
本発明に係る引出し及びキッチンキャビネットは、背板と底板を相互に係合するために、幅方向において同一断面を有する長尺状の係合部と、背板の後端部の上面部を覆う突起部と、を備えているので、シンプルな構成で、背板の反りによる隙間の発生を抑制し、仮に隙間が生じても目立たなくすることを可能とする。
【図面の簡単な説明】
【００１６】
【図１】本発明に係る引出し及びキッチンキャビネットの実施例１を説明する図であり（ａ）は引出しの斜視図であり、（ｂ）は背板と底板の係合構造を示す断面図である。
【図２】（ａ）は上記実施例１における背板の要部を示す斜視図であり、（ｂ）は底板の要部を示す斜視図である。
【図３】本発明に係る引出し及びキッチンキャビネットの実施例２を説明する図であり（ａ）は引出しの斜視図であり、（ｂ）は背板と底板の係合構造を示す断面図であり、（ｃ）は背板の断面図である。
【図４】（ａ）は上記実施例２における背板の要部を示す斜視図であり、（ｂ）は底板の要部を示す斜視図である。
【図５】（ａ）は実施例１の引出しを適用したキッチンキャビネットの断面図であり、（ｂ）は実施例１の変形例を示す断面図であり、（ｃ）は実施例２の変形例を示す断面図である。
【図６】従来例の引出し及びその課題を説明する図であり、（ａ）は引出しの平面図であり、（ｂ）、（ｃ）は背板が反った状態を示す図である。
【発明を実施するための形態】
【００１７】
本発明に係る引出し及びキッチンキャビネットを実施するための形態を実施例に基づき図面を参照して、以下説明する。本明細書では、引出しを正面視して、引出しを手前に開く方向を前方とし、左右方向を幅方向（横幅方向）とする。
【実施例】
【００１８】
（実施例１）
本発明に係る引出し及びキッチンキャビネットの実施例１を図１、図２、図５（ａ）を参照して説明する。実施例１の引出し１は、図１（ａ）に示すように、前面扉２、底板３、両側板４（図中２点鎖線で示す）及び背板５を備えている。図５（ａ）において、引出し１を適用したキッチンキャビネット６を示す。
【００１９】
背板５は、木製または押出し成型により形成されている。背板５の下部１１は、底板３の後端部１２に係合され固定されている。このような係合のために、背板５の下部１１と底板３の後端部１２には、係合部１３が形成されており、その係合部１３の構造は、次のとおりである。
【００２０】
図１（ｂ）、図２（ｂ）に示すように、底板３の後端部１２の下面１６において、前側には上方に窪んだ係合凹部１７が形成されており、後側には係合凹部１７に相対的に下方に突出した係合凸部１８が形成され、全体的に断面視でカギ状に形成されている。
【００２１】
このような係合凹部１７及び係合凸部１８は、底板３の横幅方向に長尺状に形成されているが、底板３の幅方向の略全幅に形成されていてもよいが、背板５との確実な係合が確保できれば、必ずしも底板３の幅方向の略全幅ではなく、一部の幅であってもよい。
【００２２】
一方、背板５の下部１１には、図１（ｂ）、図２（ａ）に示すように、前方に突き出た突出部２１が形成されている。突出部２１の上面における前側には、上方向けて係合凸部２２が形成されており、突出部２１の上面における後側には、係合凸部２２に対して相対的に下方に窪んだ係合凹部２３が形成され、断面視でカギ状に形成されている。
【００２３】
このような係合凸部２２及び係合凹部２３は、突出部２１の幅方向に長尺状に形成されているが、突出部２１の略全幅に形成されてもよいが、底板３との確実な係合が確保できれば、必ずしも突出部２１の幅方向の略全幅ではなく、一部の幅であってもよい。
【００２４】
さらに、背板５の前面には、前方に向けて突起部２６が形成されている。この突起部２６は、底板３の後端部１２の上面部２７を覆うものであり、背板５の下部１１と底板３の後端部１２を係合した状態において、底板３の後端部１２の上面に隣接して上に位置するように形成されている。
【００２５】
より詳細には、図１（ｃ）、図２（ａ）において、突起部２６は、背板５の係合凹部２３の底面から突起部２６までの間隔ｈが、底板３の後端部１２の厚さｔ（図１（ｂ）参照）より大きくなるような高さ位置に形成される。そして、突起部２６は、引出し１の幅方向に延びるように長尺状に形成されるが、底板３の幅方向の略全幅に形成されていることが好ましい。
【００２６】
また、図１（ｃ）、図２（ａ）において、突起部２６の前方への突出長さｓは、背板５と底板３の間に隙間が生じた場合に、その隙間を適宜覆い隠すことのできる程度であればよい。突起部２６の前方への突出長さｓが長すぎると、引出し１内の収納物に干渉し、また収納空間を狭めるので好ましくない。
【００２７】
なお突起部２６の上面２８は、図１（ｂ）、図２（ａ）に示すように、前方かつ下方に向けて傾斜面として形成されており、このような傾斜面であると、収納物の収納の邪魔となりにくいので好ましい。
【００２８】
背板５の下部１１と底板３の後端部１２を互いに係合する係合部１３は、上記背板５の下部１１の突出部２１及び底板３の後端部１２の双方にカギ状に形成された係合凸部と係合凹部の組合せ構造３１により構成される。
【００２９】
この組合せ構造３１は、より詳細には、図１（ｂ）に示すように、背板５の係合凸部２２は、底板３の係合凹部１７に係合され、底板３の係合凸部１８は、背板５の係合凹部２３に係合されて成る構成である。
【００３０】
このようにして背板５の下部１１と底板３の後端部１２が係合された状態で、背板５の後面側から、タッカでタッカ針を打ち込んで、背板５の下部１１と底板３の後端部１２を固定する。必要に応じて、さらにネジを底板３の後端側に向けてねじ込み、より強力に固定してもよい。
【００３１】
なお、実施例１の変形例として図５（ｂ）に示すとおり、係合部は、本実施例１とは逆に、底板３の後端部１２から下方に向けた係合凸部３６を設けるとともに、背板５の下部１１の突出部２１に係合凸部３６を受ける係合凹部３７を設け、係合凸部３６と係合凹部３７の組合せ構造により構成してもよい。
【００３２】
（作用）
以上の構成から成る実施例１の引出し１の作用について、以下説明する。実施例１の引出し１では、背板５と底板３が互いに係合される係合部１３は、背板５の下部１１の突出部２１及び底板３の後端部１２の双方にカギ状に形成された係合凸部と係合凹部の組合せ構造３１により構成されているので、背板５は反り難くなり、反りに起因する背板５の下部１１と底板３の後端部１２の間における隙間の発生も低減できる。
【００３３】
また、背板５の前面には前方に向けて、底板３の後端部１２の上面部２７を覆う突起部２６が形成されているので、仮に背板５の下部１１と底板３の後端部１２の隙間が発生しても、突起部２６で隙間を覆い隠すことができるので、見栄えを低減することがなく、また収納物が隙間へ詰まったり、隙間から落下するようなことが防止できる。
【００３４】
（実施例２）
本発明に係る引出し及びキッチンキャビネットの実施例２を図３及び図４を参照して説明する。実施例２の引出し４１は、実施例１の引出し１と同様であり、前面扉２、底板４３、両側板４、背板４５を備えている。引出し４１を適用したキッチンキャビネットは、図示はしないが、図５（ａ）に示す実施例１のキッチンキャビネットと略同じである。以下、実施例２の引出し４１について、実施例１の引出し１と異なる構成を中心に説明する。
【００３５】
実施例２の引出し４１についても、実施例１の引出し１と同様に、背板４５の下部４６は、底板４３の後端部４７に係合され固定されている。実施例２の引出し４１において、背板４５の下部４６と底板４３の後端部４７には、係合部５０が形成されており、その係合の構造は、次のとおりである。
【００３６】
図３（ａ）、（ｂ）、図４（ｂ）に示すように、底板４３の後端部４７の上面において、前側に下方に窪んだ係合凹部５１が形成されており、後側に係合凹部５１に対して相対的に上方に突出した係合凸部５２が形成され、全体的に断面視でカギ状に形成されている。
【００３７】
このような係合凹部５１及び係合凸部５２は、底板４３の横幅方向に長尺状に形成されているが、実施例１の引出し４１と同様に、底板４３の幅方向の略全幅に形成されてもよいが、背板４５との確実な係合が確保できれば、必ずしも底板４３の幅方向の略全幅ではなく、一部の幅であってもよい。
【００３８】
一方、背板４５の下部４６には、図３（ａ）、（ｂ）、図４（ａ）に示すように、前方に突き出た突起部５５が形成されている。突起部５５は、引出し４１の幅方向に延びるように長尺状に形成されるが、背板４５の幅方向の略全幅に形成されていることが好ましい。
【００３９】
この突起部５５は、実施例１の引出し１の突起部２６と同様に、背板４５の下部４６と底板４３の後端部４７に生じやすい隙間を隠す機能を有し、その前後方向の長さｓ（図３（ｃ）参照）は実施例１と同様に長すぎても収納に支障があることを考慮し適宜設定する。
【００４０】
ところで、実施例２の引出し４１の特徴的な構成は、突起部５５に係合凸部５６と係合凹部５７が形成されている点である。 即ち、突起部５５の下面前側には、下方に向けて係合凸部５６が形成されており、係合凸部５６の後側には係合凸部５６に対して相対的に下方に窪んだ係合凹部５７が形成され、断面視でカギ状に形成されている。
【００４１】
このような係合凸部５６及び係合凹部５７は、突起部５５の幅方向に長尺状に形成されているが、突起部５５の略全幅に形成されてもよいが、底板４３との確実な係合が確保できれば、必ずしも突起部５５の幅方向の略全幅ではなく、一部の幅であってもよい。
【００４２】
突起部５５は、底板４３の後端部４７の上面部６０を覆い隙間を隠すものであり、その下面６１が、背板４５の下端から底板４３の後端部４７の厚さと略同じ程度の高さ位置となるように設けられている。突起部５５の上面６２は、前方かつ下方に向けて傾斜面として形成されているが、このように傾斜面に形成されていると、収納物の収納の邪魔となりにくいので好ましい。
【００４３】
背板４３の下部４６と底板４３の後端部４７を互いに係合する係合部５０は、上記背板４３の下部４６の突起部５５及び底板４３の後端部４７の双方にカギ状に形成された係合凸部と係合凹部の組合せ構造６５により構成される。
【００４４】
この組合せ構造６５は、より詳細には、図３（ｂ）に示すように、背板４５の突起部５５の係合凸部５６は、底板４３の係合凹部５１に係合され、底板４３の係合凸部５２は、背板４５の突起部５５の係合凹部５７に係合されて成る構成である。
【００４５】
このようにして背板４５の下部４６と底板４３の後端部４７が係合された状態で、背板４５の後面側から、タッカでタッカ針を打ち込んで、背板４５の下部４６と底板４３の後端部４７を固定し、必要に応じてネジを底板４３の後端側に向けてねじ込んで固定する。
【００４６】
以上の構成から成る実施例２の引出し４１の作用は、実施例１の引出し１と同様であり、背板４５は反り難くなり、反りに起因する背板４５の下部４６と底板４３の後端部４７の隙間の発生も低減できる。
【００４７】
仮に背板４５の下部４６と底板４３の後端部４７の隙間が発生しても、突起部５５で隙間を覆い隠すことができるので、見栄えを低減することなく、また収納物が隙間へ詰まったり、隙間から落下するようなことが防止できる。そして、突起物５５の上面６２は傾斜面として形成したので、比較的に収納物の邪魔になりにくい。
【００４８】
なお、実施例２の引出しの変形例として、図５（ｃ）に示すとおり、係合部は、本実施例２とは逆に、底板４３の後端部４７から上方に向けた係合凸部５８を設けるとともに、背板４５の突起部５５の下面６１に係合凹部５９を設け、係合凸部５８と係合凹部５９の組合せ構造により構成してもよい。
【００４９】
以上、本発明に係る引出し及びキッチンキャビネットを実施するための形態を実施例に基づいて説明したが、本発明はこのような実施例に限定されるものではなく、特許請求の範囲に記載された技術的事項の範囲内でいろいろな実施例があることは言うまでもない。
【産業上の利用可能性】
【００５０】
本発明に係る引出し及びキッチンキャビネットは上記のような構成であるから、キッチンにおける引出しに限らず、洗面用キャビネット、家具、その他の用途の引出しにも適用可能である。
【符号の説明】
【００５１】
１  引出し                                  
２  前面扉                                  
３  底板                                    
４  両側板                                  
５  背板                                    
１１  背板の下部                            
１２  底板の後端部                        
１３  係合部                                
１６  底板の後端部の下面                    
１７  底板の係合凹部                        
１８  底板の係合凸部                        
２１  背板の突出部                          
２２  背板の係合凸部                        
２３  背板の係合凹部                        
２６  突起部                                
２７  底板の後端部の上面部                  
２８  突起部の上面                          
３１  組合せ構造
３６  底板の係合凸部
３７  背板の係合凹部
４１  引出し
４３  底板                          
４５  背板             
４６  背板の下部       
４７  底板の後端部     
５０  係合部           
５１  底板の係合凹部   
５２  底板の係合凸部   
５５  背板の突起部     
５６  背板の係合凸部   
５７  背板の係合凹部
５８  底板の係合凸部
５９  背板の係合凹部   
６０  底板の上面部     
６１  突起部の下面     
６２  突起部の上面     
６５  組合せ構造
７１  従来例の引出し
７２  底板
７３  背板
７４  前面板
７５  両側板
７６  背板と底板の隙間     
ｈ  背板の係合凹部の底面から突起部までの間隔
ｔ  底板の後端部の厚さ                      
ｓ  突起部の突出長さ                        
【図１】
2017063922.tif 000003
【図２】
2017063922.tif 000004
【図３】
2017063922.tif 000005
【図４】
2017063922.tif 000006
【図５】
2017063922.tif 000007
【図６】
2017063922.tif 000008